(57)【要約】【課題】特殊な構成のフレキ等を必要とすることなく、ソケット接続とフレキ接続の両方に対応可能にする。【解決手段】モジュール基板１１０は、ソケット接続用の接点１１１ａ〜１４０ａの他に、当該接点に一対一に対応した同一の端子機能を持つフレキ接続用のランド１１１ｂ〜１４０ｂを備える。これにより、特殊な構成のフレキ等を必要とすることなく、ソケット接続とフレキ接続の両方に対応可能となる。左右方向の両端位置にソケット接続用の接点を設け、中央位置にフレキ接続用のランドを設けることで、モジュール基板１１０の内側を有効に利用し、全体面積の増加を抑える。フレキ接続用のランドの分散範囲が狭く、当該フレキ接続用のランドのみでは接続強度が弱くなるので、上下方向の両端位置に補強用ランド１５０を設けることで、十分な接続強度を確保する。【選択図】図２
2009033481.tif 000002
【特許請求の範囲】
【請求項１】
モジュール基板の一の面に、少なくとも撮像素子、撮像レンズおよび信号処理回路が実装されてなるカメラモジュールにおいて、
上記モジュール基板の他の面に、ソケット接続用の接点と、該接点に一対一に対応したフレキシブルプリント基板接続用のランドとを備える
ことを特徴とするカメラモジュール。
【請求項２】
上記モジュール基板の他の面には、
一の方向の両端位置に上記ソケット接続用の接点が設けられると共に、該一の方向の中央位置に上記フレキシブルプリント基板接続用のランドが設けられ、
上記一の方向と直交する他の方向の両端位置に補強用ランドが設けられている
ことを特徴とする請求項１に記載のカメラモジュール。
【発明の詳細な説明】
【技術分野】
【０００１】
この発明は、カメラモジュールに関する。詳しくは、この発明は、モジュール基板の一の面に、少なくとも撮像素子、撮像レンズおよび信号処理回路が実装されてなるカメラモジュールにあって、モジュール基板の他の面に、ソケット接続用の接点と、この接点に一対一に対応したフレキシブルプリント基板（以下、「フレキ」という）接続用のランドとを備えることにより、ソケット接続とフレキ接続の両方に対応可能にしたカメラモジュールに係るものである。
【背景技術】
【０００２】
図５は、携帯電話用のカメラモジュール２００の構成例を示している。このカメラモジュール２００は、モジュール基板２１０の一の面（図では上面）に、撮像素子、撮像レンズおよび信号処理回路等が実装された構造となっている。モジュール基板２１０の他の面（図では下面）には、ソケット接続用の接点、あるいはフレキ接続用のランドが備えられている。
【０００３】
このカメラモジュール２００は、図６に示すように、ソケット３００に接続されて使用され、あるいは、図７に示すように、フレキ４００に接続されて使用される。ソケット３００に接続されて使用されるカメラモジュール２００にあっては、モジュール基板２１０の他の面に、ソケット接続用の接点が備えられる。フレキ４００に接続されて使用されるカメラモジュール２００にあっては、モジュール基板２１０の他の面に、フレキ接続用のランドが備えられる。なお、ソケット接続用の接点は小型化のためにピッチが狭く、ハンダブリッジの不良が発生するので、フレキ接続用のランドとして使用することはできない。
【０００４】
そのため、ソケット３００に接続して使用するカメラモジュール２００と、フレキ４００に接続して使用するカメラモジュール２００とを、それぞれ、専用に製造しなければならなかった。したがって、開発工数、開発期間、製造設備、製造コストがそれぞれの専用のカメラモジュールにかかっていた。
【０００５】
図８は、ソケット３００に接続して使用するカメラモジュール２００におけるモジュール基板２１０の他の面のパターン構成例を示している。ここで、一の方向（図では左右の方向）の両端位置に、ソケット接続用の接点２１１〜２４０が設けられている。なお、この図８において、ハッチングを付して示している領域は接地されるパターン部分を示している。また、接点２１１〜２４０は、それぞれ、図９に示すように、カメラモジュール２００の各端子を構成している。
【０００６】
例えば、特許文献１には、同一のカメラモジュールを、ソケット接続およびフレキ接続のいずれでも使用し得ることが記載されている。すなわち、カメラモジュールのモジュール基板には共通に使用される接続用接点が備えられており、ソケット接続で使用する場合には当該カメラモジュールはソケット（コネクタ）に組み込まれ、フレキ接続で使用する場合には当該カメラモジュールとコネクタハウジングとの間にフレキが介在される。
【特許文献１】特開２００４−３２７２９８号公報
【発明の開示】
【発明が解決しようとする課題】
【０００７】
特許文献１に記載されるカメラモジュールにあっては、同一のカメラモジュールをソケット接続およびフレキ接続のいずれでも使用できるが、フレキ接続で使用する場合、フレキに半田付けにより接続するものではなく、設定端子を持つ特殊な構成のフレキが必要となると共に、特殊な構成のコネクタハウジングも必要となる。
【０００８】
この発明の目的は、特殊な構成のフレキ等を必要とすることなく、ソケット接続とフレキ接続の両方に対応可能にしたカメラモジュールを提供することにある。
【課題を解決するための手段】
【０００９】
この発明の概念は、
モジュール基板の一の面に、少なくとも撮像素子、撮像レンズおよび信号処理回路が実装されてなるカメラモジュールにおいて、
上記モジュール基板の他の面に、ソケット接続用の接点と、該接点に一対一に対応したフレキシブルプリント基板接続用のランドとを備える
ことを特徴とするカメラモジュールにある。
【００１０】
この発明においては、モジュール基板の他の面にソケット接続用の接点が備えられると共に、当該モジュール基板の他の面にフレキ接続用のランドが備えられている。ここで、ソケット接続用の接点とフレキ接続用のランドとは同一の端子機能を有し、互いに、独立した使用が可能とされている。この場合、カメラモジュールがソケット接続で使用される場合には、ソケット接続用の接点が用いられる。また、このカメラモジュールがフレキ接続で使用される場合には、フレキ接続用のランドが用いられる。
【００１１】
このように、この発明においては、同一の端子機能を有するソケット接続用の接点と、フレキ接続用のランドとを備えるものであり、特殊な構成のフレキ等を必要とすることなく、ソケット接続とフレキ接続の両方に対応可能となる。
【００１２】
また、この発明において、例えば、モジュール基板の他の面には、一の方向の両端位置にソケット接続用の接点が設けられると共に、この一の方向の中央位置にフレキシブルプリント基板接続用のランドが設けられ、一の方向と直交する他の方向の両端位置に補強用ランドが設けられてもよい。
【００１３】
この場合、一の方向の両端位置に設けられたソケット接続用の接点に挟まれる中央位置にフレキ接続用のランドが設けられるものであり、ソケット接続用の接点およびフレキ接続用のランドを備えるものにあっても、モジュール基板の内側が有効に利用され、モジュール基板の全体の面積を増加させないで済む。その場合、フレキ接続用のランドの分散範囲が狭くなることから、当該フレキ接続用のランドのみではフレキの接続強度が弱くなるおそれがある。しかしこの場合、一の方向と直交する他の方向の両端位置に補強用ランドが設けられており、この補強用ランドにフレキを接続することで、フレキの接続強度が高められ、作業中にフレキが剥がれ難くなる。
【発明の効果】
【００１４】
この発明によれば、モジュール基板の一の面に、少なくとも撮像素子、撮像レンズおよび信号処理回路が実装されてなるカメラモジュールにあって、モジュール基板の他の面に、ソケット接続用の接点と、この接点に一対一に対応したフレキ接続用のランドとを備えるものであり、特殊な構成のフレキ等を必要とすることなく、ソケット接続とフレキ接続の両方に対応可能となる。
【発明を実施するための最良の形態】
【００１５】
以下、図面を参照しながら、この発明の実施の形態について説明する。図１は、実施の形態としての携帯電話用のカメラモジュール１００の構成例を示している。このカメラモジュール１００は、モジュール基板１１０の一の面（図では上面）に、撮像素子、撮像レンズおよび信号処理回路等が実装された構造となっている。
【００１６】
このカメラモジュール１００は、ソケット接続およびフレキ接続の両方に対応可能とされたものであり、モジュール基板１１０の他の面（図では下面）には、ソケット接続用の接点と、この接点に一対一に対応したフレキ（フレキシブルプリント基板）接続用のランドとが備えられている。
【００１７】
図２は、モジュール基板１１０の他の面（下面）のパターン構成例を示している。一の方向（図では左右の方向）の両端位置に、ソケット接続用の接点１１１ａ〜１４０ａが設けられている。なお、この図２において、ハッチングを付して示している領域は接地されるパターン部分を示している。接点１１１ａ〜１４０ａは、それぞれ、図３に示すように、カメラモジュール１００の各端子を構成している。
【００１８】
また、一の方向の中央位置、つまり上述の両端位置に挟まれた位置に、フレキ接続用のランド１１１ｂ〜１４０ｂが設けられている。ランド１１１ｂ〜１４０ｂは、それぞれ、図４に示すように、カメラモジュール１００の各端子を構成している。図３、図４から明らかなように、ランド１１１ｂ〜１４０ｂは、接点１１１ａ〜１４０ａに一対一に対応しており、接点１１１ａ〜１４０ａと同一の端子機能を持っている。
【００１９】
また、一の方向と直交する他の方向（図では上下方向）の両端位置に、補強用ランド１５０が複数個、図示の例においては２個ずつ設けられている。なお、ランドはあまり大きすぎても半田のつきがよくない。図示のように、面積を小さくした複数個の補強ランド１５０を分散配置することは、半田付けにおいて有利であり、強度的にも問題はない。
【００２０】
以上説明したように、図１に示すカメラモジュール１００においては、モジュール基板１１０の下面に同一の端子機能を有するソケット接続用の接点１１１ａ〜１４０ａと、フレキ接続用のランド１１１ｂ〜１４０ｂとを備えるものであり、特殊な構成のフレキ等を必要とすることなく、ソケット接続とフレキ接続の両方に対応可能となる。この場合、ソケット接続およびフレキ接続のカメラモジュールを１種類で実現でき、開発工数、評価工数、管理工数、販売工数等の削減が可能となる。また、商品が統一化され、量産効果による管理、部品、製造にかかるコストダウンができ、製造設備も同一になり、設備費の抑制も可能となる。
【００２１】
また、図１に示すカメラモジュール１００においては、モジュール基板１１０の下面には、一の方向の両端位置にソケット接続用の接点１１１ａ〜１４０ａが設けられると共に、この一の方向の中央位置にフレキ接続用のランド１１１ｂ〜１４０ｂが設けられるものであり、ソケット接続用の接点およびフレキ接続用のランドを備えるものにあっても、モジュール基板１１０の内側が有効に利用され、モジュール基板１１０の全体の面積を増加させないで済む。
【００２２】
その場合、フレキ接続用のランド１１１ｂ〜１４０ｂの分散範囲が狭くなることから、当該フレキ接続用のランド１１１ｂ〜１４０ｂのみではフレキの接続強度が弱くなるおそれがあるが、一の方向と直交する他の方向の両端位置に補強用ランド１５０が設けられているので、この補強用ランド１５０にフレキを接続することで、フレキの接続強度が高められ、作業中にフレキが剥がれ難くなる。
【００２３】
なお、上述実施の形態におけるソケット接続用の接点およびフレキ接続用のランドの数および端子機能は一例であって、これに限定されるものではない。また、上述実施の形態は、この発明を携帯電話用のカメラモジュールに適用したものであるが、この発明はその他の用途のカメラモジュールにも同様に適用できることは勿論である。
【産業上の利用可能性】
【００２４】
この発明は、特殊な構成のフレキ等を必要とすることなく、ソケット接続とフレキ接続の両方に対応可能であり、例えば、携帯電話用のカメラモジュールに適用できる。
【図面の簡単な説明】
【００２５】
【図１】この発明の実施の形態としてのカメラモジュールの構成例を示す斜視図である。
【図２】ソケット接続用の接点およびフレキ接続用のランドを備えるモジュール基板のパターン構成例を示す平面図である。
【図３】ソケット接続用の各接点と端子機能との対応関係を示す図である。
【図４】フレキ接続用の各ランドと端子機能との対応関係を示す図である。
【図５】従来のカメラモジュールの構成例を示す斜視図である。
【図６】カメラモジュールをソケットに接続した状態を示す図である。
【図７】カメラモジュールをフレキに接続した状態を示す図である。
【図８】ソケット接続用の接点を備えるモジュール基板のパターン構成例を示す平面図である。
【図９】ソケット接続用の各接点と端子機能との対応関係を示す図である。
【符号の説明】
【００２６】
１００・・・カメラモジュール、１１０・・・モジュール基板、１１１ａ〜１４０ａ・・・ソケット接続用の接点、１１１ｂ〜１４０ｂ・・・フレキ接続用のランド、１５０・・・補強用ランド
【図２】
2009033481.tif 000003
【図３】
2009033481.tif 000004
【図４】
2009033481.tif 000005
【図８】
2009033481.tif 000006
【図９】
2009033481.tif 000007
【図１】
2009033481.tif 000008
【図５】
2009033481.tif 000009
【図６】
2009033481.tif 000010
【図７】
2009033481.tif 000011